(57)【要約】  課金に対する対価が十分に払われていない課金先に対して何らかの補償を行うことをサポートする。充電制御装置は、自動車への充電に関する課金の課金先を特定する第１情報に基づいて課金先に課金を実行する制御部と、課金を実行した後に充電が途中で終了した場合に、課金先に関する第２情報を格納する格納部と、を備える。
2017056755.tif 000002
【特許請求の範囲】
【請求項１】
自動車への充電に関する課金の課金先を特定する第１情報に基づいて前記課金先に前記課金を実行する制御部と、
前記課金を実行した後に前記充電が途中で終了した場合に、前記課金先に関する第２情報を格納する格納部と、を備える充電制御装置。
【請求項２】
前記制御部は、新たな充電に関する課金の課金先を特定する第３情報を受けると、当該第３情報にて特定される課金先が前記第２情報にて特定される課金先と同一である場合に、前記新たな充電を無料とする、請求項１に記載の充電制御装置。
【請求項３】
前記無料となる新たな充電は、前記充電が途中で終了した充電装置を用いた新たな充電である、請求項２に記載の充電制御装置。
【請求項４】
前記充電が途中で終了した充電装置が、他の充電装置と前記第２情報を共有している場合、前記無料となる新たな充電は、前記２情報を共有している充電装置のうち前記充電が途中で終了した充電装置とは異なる充電装置を用いた新たな充電である、請求項２に記載の充電制御装置。
【請求項５】
前記制御部は、無料とされた前記新たな充電が完了した場合に、前記格納部から前記第２情報を削除する、請求項２から４のいずれか１項に記載の充電制御装置。
【請求項６】
前記第２情報は、前記途中で終了した充電量および充電時間の少なくとも一方を含む、請求項１から５のいずれか１項に記載の充電制御装置。
【請求項７】
前記第２情報は、前記途中で終了した充電量および充電時間を含み、
前記制御部は、無料とされた前記新たな充電を前記第２情報で示された充電量および充電時間の少なくとも一方に基づいて制御する、請求項２から５のいずれか１項に記載の充電制御装置。
【請求項８】
前記制御部は、前記第２情報が所定時間以上継続して前記格納部に格納されている場合に、前記格納部から前記第２情報を削除する、請求項１から７のいずれか１項に記載の充電制御装置。
【請求項９】
前記制御部は、同一の課金先に課金される前記充電が所定回数連続して途中で終了した場合に、当該課金先を特定する第２情報を前記格納部から削除する、請求項１から８のいずれか１項に記載の充電制御装置。
【請求項１０】
前記制御部は、前記途中で終了した充電の状況が、前記第２情報を前記格納部に格納するための条件を満たす場合に、前記第２情報を前記格納部に格納する、請求項１から９のいずれか１項に記載の充電制御装置。
【請求項１１】
前記制御部は、前記課金を実行した後に前記充電が途中で終了した場合に、前記第１情報と異なる前記第２情報を、前記第２情報にて特定される課金先に通知する、請求項１から１０のいずれか１項に記載の充電制御装置。
【請求項１２】
自動車への充電装置からの充電に関する課金用の情報を受けた場合に、前記課金を実行する制御部と、
前記課金を実行した後に前記充電が途中で終了した場合に、前記制御部が行う前記充電装置での次回の充電に関する課金を無料にする無料部と、を備える充電制御装置。
【請求項１３】
前記無料部は、前記課金後に前記充電が途中で終了した場合に、前記充電装置に対して、前記充電装置での次回の充電が無料である旨を出力することを指示する、請求項１２に記載の充電制御装置。
【請求項１４】
前記無料部は、前記途中で終了した充電の状況が、次回の充電を無料にするための条件を満たす場合に、前記制御部が前記充電装置での次回の充電に関する課金を無料とする、請求項１２または１３に記載の充電制御装置。
【請求項１５】
自動車への充電を実行する充電部と、
前記充電に関する課金の課金先を特定する第１情報を受けた場合に、前記第１情報を、請求項１から１１のいずれか１項に記載の充電制御装置に送信し、また、前記充電が途中で終了した場合に、その旨を前記充電制御装置に送信する通信制御部と、を備える充電装置。
【請求項１６】
自動車への充電を実行する充電部と、
前記充電に関する課金用の情報を受けた場合に、前記情報を、請求項１２から１４のいずれか１項に記載の充電制御装置に送信し、また、前記充電が途中で終了した場合に、その旨を前記充電制御装置に送信する通信制御部と、を備える充電装置。
【請求項１７】
自動車への充電に関する課金の課金先を特定する第１情報に基づいて前記課金先に前記課金を実行する課金ステップと、
前記課金を実行した後に前記充電が途中で終了した場合に、前記課金先に関する第２情報を格納部に格納する格納ステップと、を備える充電制御方法。
【請求項１８】
自動車への充電装置からの充電に関する課金用の情報を受けた場合に、前記課金を実行する課金ステップと、
前記課金を実行した後に前記充電が途中で終了した場合に、前記充電装置での次回の充電に関する課金を無料とする無料ステップと、を備える充電制御方法。
【請求項１９】
自動車への充電を実行する充電ステップと、
前記充電に関する課金の課金先を特定する第１情報を受けた場合に、前記第１情報を、請求項１から１１のいずれか１項に記載の充電制御装置に送信し、また、前記充電が途中で終了した場合に、その旨を前記充電制御装置に送信する通信制御ステップと、を備える充電通知方法。
【請求項２０】
自動車への充電を実行する充電ステップと、
前記充電に関する課金用の情報を受けた場合に、前記情報を、請求項１２から１４のいずれか１項に記載の充電制御装置に送信し、また、前記充電が途中で終了した場合に、その旨を前記充電制御装置に送信する通信制御ステップと、を備える充電通知方法。
【請求項２１】
コンピュータに、
自動車への充電に関する課金の課金先を特定する第１情報に基づいて前記課金先に前記課金を実行する課金手順と、
前記課金を実行した後に前記充電が途中で終了した場合に、前記課金先に関する第２情報を格納部に格納する格納手順と、を実行させるためのプログラム。
【請求項２２】
コンピュータに、
自動車への充電装置からの充電に関する課金用の情報を受けた場合に、前記課金を実行する制御手順と、
前記課金を実行した後に前記充電が途中で終了した場合に、前記充電装置での次回の充電に関する課金を無料にする無料手順と、を実行させるためのプログラム。
【請求項２３】
コンピュータに、
自動車への充電を実行する充電手順と、
前記充電に関する課金の課金先を特定する第１情報を受けた場合に、前記第１情報を、請求項１から１１のいずれか１項に記載の充電制御装置に送信し、また、前記充電が途中で終了した場合に、その旨を前記充電制御装置に送信する通信制御手順と、を実行させるためのプログラム。
【請求項２４】
コンピュータに、
自動車への充電を実行する充電手順と、
前記充電に関する課金用の情報を受けた場合に、前記情報を、請求項１２から１４のいずれか１項に記載の充電制御装置に送信し、また、前記充電が途中で終了した場合に、その旨を前記充電制御装置に送信する通信制御手順と、を実行させるためのプログラム。
【発明の詳細な説明】
【技術分野】
【０００１】
本発明は、充電制御装置、充電装置、充電制御方法、充電通知方法およびプログラムに関する。
【背景技術】
【０００２】
電力を動力とする自動車、例えば、ＥＶ（Electric Vehicle：電気自動車）やＰＨＶ（Plug-in Hybrid Vehicle：プラグインハイブリッド自動車）に対して充電を行う充電装置が開発されている。
特許文献１には、ＥＶやＰＨＶへの充電の料金が前払いされた後に、ＥＶやＰＨＶへ充電を行う充電方式が記載されている。以下、この前払い方式の課金を「事前課金」と称する。
【先行技術文献】
【特許文献】
【０００３】
【特許文献１】特開２０１０−１８３８２４号公報
【発明の概要】
【発明が解決しようとする課題】
【０００４】
電力を動力とする自動車に搭載されたバッテリの温度異常などの特定の異常は、充電を開始してから一定時間経過した後に発生することがある。バッテリの充電中に温度異常が発生すると、充電途中であっても、充電装置はバッテリへの充電を終了する場合がある。特許文献１に記載の充電方式においては、事前課金を行った後に、バッテリの充電が開始されるため、充電途中で、バッテリの温度異常が発生すると、料金を支払ったにもかかわらず、充電が途中で終了する。この場合、課金に対する対価（充電）が十分に払われないという問題が生じる。このため、課金に対する対価が十分に払われていない課金先に対して何らかの補償を行うことをサポートする技術が望まれる。【０００５】
本発明の目的は、上記課題を解決可能な充電制御装置、充電装置、充電制御方法、充電通知方法およびプログラムを提供することである。
【課題を解決するための手段】
【０００６】
本発明の充電制御装置は、自動車への充電に関する課金の課金先を特定する第１情報に基づいて前記課金先に前記課金を実行する制御部と、前記課金を実行した後に前記充電が途中で終了した場合に、前記課金先に関する第２情報を格納する格納部と、を備える。
本発明の充電制御装置は、自動車への充電装置からの充電に関する課金用の情報を受けた場合に、前記課金を実行する制御部と、前記課金を実行した後に前記充電が途中で終了した場合に、前記制御部が行う前記充電装置での次回の充電に関する課金を無料とする無料部と、を備える。【０００７】
本発明の充電装置は、自動車への充電を実行する充電部と、前記充電に関する課金の課金先を特定する第１情報を受けた場合に、前記第１情報を、前記充電制御装置に送信し、また、前記充電が途中で終了した場合に、その旨を前記充電制御装置に送信する通信制御部と、を備える。
本発明の充電装置は、自動車への充電を実行する充電部と、前記充電に関する課金用の情報を受けた場合に、前記情報を、前記充電制御装置に送信し、また、前記充電が途中で終了した場合に、その旨を前記充電制御装置に送信する通信制御部と、を備える。【０００８】
本発明の充電制御方法は、自動車への充電に関する課金の課金先を特定する第１情報に基づいて前記課金先に前記課金を実行する課金ステップと、前記課金を実行した後に前記充電が途中で終了した場合に、前記課金先に関する第２情報を格納部に格納する格納ステップと、を備える。
本発明の充電制御方法は、自動車への充電装置からの充電に関する課金用の情報を受けた場合に、前記課金を実行する課金ステップと、前記課金を実行した後に前記充電が途中で終了した場合に、前記充電装置での次回の充電を無料とする無料ステップと、を備える。【０００９】
本発明の充電通知方法は、自動車への充電を実行する充電ステップと、前記充電に関する課金の課金先を特定する第１情報を受けた場合に、前記第１情報を、前記充電制御装置に送信し、また、前記充電が途中で終了した場合に、その旨を前記充電制御装置に送信する通信制御ステップと、を備える。
本発明の充電通知方法は、自動車への充電を実行する充電ステップと、前記充電に関する課金用の情報を受けた場合に、前記情報を、前記充電制御装置に送信し、また、前記充電が途中で終了した場合に、その旨を前記充電制御装置に送信する通信制御ステップと、を備える。【００１０】
本発明のプログラムは、コンピュータに、自動車への充電に関する課金の課金先を特定する第１情報に基づいて前記課金先に前記課金を実行する課金手順と、前記課金を実行した後に前記充電が途中で終了した場合に、前記課金先に関する第２情報を格納部に格納する格納手順と、を実行させる。
本発明のプログラムは、コンピュータに、自動車への充電装置からの充電に関する課金用の情報を受けた場合に、前記課金を実行する制御手順と、前記課金を実行した後に前記充電が途中で終了した場合に、前記充電装置での次回の充電に関する課金を無料とする無料手順と、を実行させる。【００１１】
本発明のプログラムは、コンピュータに、自動車への充電を実行する充電手順と、前記充電に関する課金の課金先を特定する第１情報を受けた場合に、前記第１情報を、前記充電制御装置に送信し、また、前記充電が途中で終了した場合に、その旨を前記充電制御装置に送信する通信制御手順と、を実行させる。
本発明のプログラムは、コンピュータに、自動車への充電を実行する充電手順と、前記充電に関する課金用の情報を受けた場合に、前記情報を、前記充電制御装置に送信し、また、前記充電が途中で終了した場合に、その旨を前記充電制御装置に送信する通信制御手順と、を実行させる。
【発明の効果】
【００１２】
本発明によれば、課金に対する対価が十分に払われていない課金先に対して何らかの補償を行うことをサポートすることが可能になる。
【図面の簡単な説明】
【００１３】
【図１】本発明の第１実施形態の充電制御装置１００を示した図である。
【図２】充電制御装置１００の動作を説明するためのフローチャートである。
【図３】第２実施形態の充電装置２００を示した図である。
【図４】充電装置２００の動作を説明するためのフローチャートである。
【図５】本発明の第３実施形態の情報収集機器１００Ａおよび複数の充電装置２００Ａを含む充電システムを示した図である。
【図６】第３実施形態の動作を説明するためのシーケンス図である。
【図７】本発明の第４実施形態の情報収集機器１００Ｂおよび複数の充電装置２００Ｂを含む充電システムを示した図である。
【図８】充電装置２００ＢがユーザＩＤを受けた場合の動作を説明するためのシーケンス図である。
【図９】充電装置２００Ｂがパスワードを受けた場合の動作を説明するためのシーケンス図である。
【図１０】本発明の第５実施形態の充電制御装置１００Ｃを示した図である。
【図１１】充電制御装置１００Ｃの動作を説明するためのフローチャートである。
【図１２】本発明の第６実施形態の情報収集機器１００Ｄおよび複数の充電装置２００Ａを含む充電システムを示した図である。
【図１３】第６実施形態の動作を説明するためのシーケンス図である。
【発明を実施するための形態】
【００１４】
以下、本発明の実施形態について図面を参照して説明する。
【００１５】
（第１実施形態）
本実施形態は、課金に対する対価が十分に払われていない課金先を特定する充電制御装置に関する。この充電制御装置によれば、課金に対する対価が十分に払われていない課金先が特定されるので、その課金先に対して、何らかの補償を行うことが可能になる。
図１は、本発明の第１実施形態の充電制御装置１００を示した図である。
充電制御装置１００は、制御部１０１と、格納部１０２と、を含む。
制御部１０１は、充電装置（不図示）と通信する。充電装置は、ＥＶに対して充電を実行する。ＥＶは、自動車、または、電力を動力として用いる自動車の一例である。
【００１６】
制御部１０１は、ＥＶに対する充電の課金先となるＥＶのユーザと関連づけられているカードＩＤ（Identification）を受ける。
ＥＶのユーザとカードＩＤとの関連づけを示す関連づけ情報は、制御部１０１に保存されてもよいし、制御部１０１以外の装置に保存されてもよい。以下では、制御部１０１が、関連づけ情報を保存しているとする。
制御部１０１は、関連づけ情報を参照して、カードＩＤに関連づけられているＥＶのユーザ（課金先）を特定する。なお、関連づけ情報が、制御部１０１以外の装置（以下「外部装置」と称する）に保存されている場合には、制御部１０１は、外部装置に保存されている関連づけ情報を参照して、カードＩＤに関連づけられているＥＶのユーザを特定する。
【００１７】
カードＩＤは、例えば、電子マネーでの決済（課金）に用いられるＩＤ（以下「電子マネー用ＩＤ」とも称する）である。カードＩＤは、電子マネー用ＩＤに限らず、例えば、クレジットカードのＩＤでもよい。カードＩＤは、ＥＶへの充電装置からの充電に関する課金の課金先（ＥＶのユーザ）を特定する第１情報の一例である。カードＩＤは、課金用の情報の一例でもある。第１情報や課金用の情報は、カードＩＤに限らず適宜変更可能である。
制御部１０１は、カードＩＤを受けた場合に、カードＩＤと関連づけられているＥＶのユーザ（課金先）に、ＥＶへの充電に関する課金を実行する。カードＩＤが電子マネー用ＩＤである場合、制御部１０１は、電子マネーを用いた課金（決済）を行う。
【００１８】
格納部１０２は、制御部１０１が課金を実行した後に課金に対応する充電が途中で終了した場合に、課金先（ＥＶのユーザ）を特定する課金先情報を格納する。課金先情報は、課金先を特定する第２情報の一例である。
課金先情報は、カードＩＤと同一の情報でもよいし、カードＩＤと異なる情報（例えば、ＥＶのユーザに新たに関連づけられた情報（例えばパスワード））でもよい。以下では、課金先情報として、カードＩＤが用いられるとする。
【００１９】
課金に対応する充電としては、例えば、ＥＶに内蔵されたバッテリが所定の充電状態（例えば、満充電状態）になるまでの充電や、一定時間継続する充電が挙げられる。なお、課金に対応する充電は、これらに限らず適宜変更可能である。
【００２０】
次に、本実施形態の動作について説明する。
図２は、充電制御装置１００の動作を説明するためのフローチャートである。
まず、ＥＶのユーザは、ＥＶを充電するためにＥＶを充電装置に接続する。続いて、ＥＶのユーザは、充電に対する課金処理を実行させるために充電装置にカードＩＤを読み込ませる。充電装置は、ＥＶと接続した後、ＥＶへの充電を開始する。また、充電装置は、読み込んだカードＩＤを充電制御装置１００に送信する。
充電制御装置１００の制御部１０１は、充電装置からカードＩＤを受信すると（ステップＳ２１）、カードＩＤに関連づけられているＥＶのユーザに対して、ＥＶ充電に関する課金を実行する（ステップＳ２２）。例えば、１回の充電に対する料金が「ＡＡ」であった場合、制御部１０１は、カードＩＤに関連づけられているＥＶのユーザに対して料金「ＡＡ」を課金する。
【００２１】
その後、充電中に、充電装置もしくはＥＶに異常が発生した場合、充電装置は、ＥＶへの充電を途中で終了する。ＥＶへの充電が途中で終了すると、充電装置は、充電が途中で終了した旨の通知（以下「充電途中終了通知」と称する）を、充電制御装置１００に送信する。ここで、充電装置の異常は、例えば、電力系統の異常により充電電圧が不安定になった状態（以下「電圧異常」とも称する）である。ＥＶの異常は、例えば、ＥＶのバッテリの温度が上限値以上になった状態（以下「温度異常」とも称する）である。なお、充電装置やＥＶの異常は上記に限らない。
【００２２】
充電制御装置１００の制御部１０１は、ＥＶへの充電に関する課金を実行した後に充電途中終了通知を受信すると（ステップＳ２３）、ステップＳ２１で受信したカードＩＤを、課金先情報として格納部１０２に格納する（ステップＳ２４）。
【００２３】
次に、本実施形態の効果について説明する。
制御部１０１は、ＥＶへの充電に関する課金の課金先を特定するカードＩＤを受けた場合に、カードＩＤにて特定される課金先に、該充電に関する課金を実行する。そして、制御部１０１は、課金を実行した後に該充電が途中で終了した場合に、その課金の課金先を特定する課金先情報を格納部１０２に格納する。
このため、格納部１０２に格納された課金先情報は、充電に対して課金されたにもかかわらず、その課金に対応する対価（充電）が十分に払われていない課金先（以下「補償対象課金先」と称する）を特定することになる。よって、格納部１０２に格納された課金先情報を用いて補償対象課金先を特定可能となり、その補償対象課金先に対して何らかの補償を行うことが可能になる。
【００２４】
次に、本実施形態の変形例を説明する。
制御部１０１は、新たな充電に関する課金の課金先を特定するカードＩＤ（第３情報）を受けると、そのカードＩＤにて特定される課金先が課金先情報にて特定される課金先（補償対象課金先）と同一である場合に、その新たな充電に関する課金を禁止してもよい。この場合、補償対象課金先に対して無料充電（補償）を提供可能になる。なお、新たな充電に関する課金を禁止することは、新たな充電を無料とすることを意味する。この点は、以下の説明でも同様である。
【００２５】
また、制御部１０１は、所定の充電装置を用いて新たな充電に関する課金の課金先を特定するカードＩＤを受けると、そのカードＩＤにて特定される課金先が課金先情報にて特定される課金先と同一である場合に、その新たな充電に関する課金を禁止（課金を無料に）してもよい。この場合、補償対象課金先に対して無料充電（補償）を提供できる充電装置を、所定の充電装置（例えば、特定のエリアに存在する充電装置や、予め指定しておいた充電装置や、同一の管理者にて管理されている充電装置）にすることが可能になる。
【００２６】
また、制御部１０１は、課金が禁止された新たな充電が完了した場合に、格納部１０２から課金先情報を削除してもよい。この場合、補償対象課金先に対して１回の無料充電（補償）を提供可能になる。
また、制御部１０１は、ある充電装置において充電が途中で終了した場合、当該充電装置において充電を無料にしてもよい。
詳細に説明すると、制御部１０１は、複数の充電装置が補償対象課金先などの課金先情報を共有している場合、該複数の充電装置のうちで、充電が途中で終了した充電装置とは異なる充電装置において充電を無料にしてもよい。
【００２７】
（第２実施形態）
本発明の第２実施形態は、第１実施形態の充電制御装置１００（図１参照）と通信可能な充電装置に関する。
図３は、第２実施形態の充電装置２００を示した図である。
充電装置２００は、充電部２０１と、通信制御部２０２と、を含む。
充電部２０１は、ＥＶに対して充電を実行する。
通信制御部２０２は、第１実施形態の充電制御装置１００と通信する。また、通信制御部２０２は、充電部２０１の動作を監視する。
【００２８】
次に、本実施形態の動作について説明する。
図４は、充電装置２００の動作を説明するためのフローチャートである。
まず、ＥＶのユーザは、ＥＶを充電するためにＥＶを充電部２０１に接続する。充電部２０１は、ＥＶと接続した後、ＥＶへの充電を開始する。
続いて、ＥＶのユーザは、ＥＶへの充電に対する課金処理を実行させるために通信制御部２０２にカードＩＤを読み込ませる。例えば、カードＩＤが非接触ＩＣ（Integrated Circuit）カードに保持されている場合、ＥＶのユーザは、非接触ＩＣカードを通信制御部２０２に近づける。通信制御部２０２は、近接する非接触ＩＣから送信されたカードＩＤ（例えば、電子マネーの課金用のカードＩＤ）を受信する。通信制御部２０２は、カードＩＤを受信すると、そのカードＩＤを充電制御装置１００に送信する（ステップＳ４１）。
【００２９】
その後、充電中に、充電装置もしくはＥＶに異常が発生した場合、充電部２０１は、ＥＶへの充電を途中で終了する。ＥＶへの充電が途中で終了すると、通信制御部２０２は、充電途中終了通知を充電制御装置１００に送信する（ステップＳ４２）。
【００３０】
次に、本実施形態の効果について説明する。
充電部２０１は、ＥＶに対して充電を実行する。通信制御部２０２は、その充電に関する課金の課金先を特定するカードＩＤを受けると、そのカードＩＤを充電制御装置１００に送信する。また、通信制御部２０２は、ＥＶへの充電が途中で終了すると、充電途中終了通知を充電制御装置１００に送信する。
このため、充電制御装置１００が補償対象課金先を特定する動作を支援することが可能になる。
【００３１】
（第３実施形態）
本実施形態では、充電制御装置として機能する情報収集機器は、課金に対する対価が十分に払われていない課金先を、所定の条件を用いて特定する。
そして、情報収集機器は、新たな充電に関する課金の課金先を特定するカードＩＤを受けると、そのカードＩＤにて特定される課金先が課金先情報にて特定される課金先（補償対象課金先）と同一である場合に、その新たな充電に関する課金を禁止する。
【００３２】
図５は、本発明の第３実施形態の情報収集機器１００Ａおよび複数の充電装置２００Ａを含む充電システムを示した図である。情報収集機器１００Ａは、充電制御装置の一例である。充電装置２００Ａは複数台に限らず１台でもよい。
【００３３】
充電装置２００Ａは、充電部２０１Ａと、入力部２０２Ａと、表示部２０３Ａと、通信部２０４Ａと、制御部２０５Ａと、を含む。入力部２０２Ａと通信部２０４Ａと制御部２０５Ａは、通信制御部２０６Ａに含まれる。
充電部２０１Ａは、ＥＶ３００Ａを充電する。充電部２０１Ａは、ＥＶ３００Ａへの充電が途中で終了した場合、充電途中終了を示すエラー信号を制御部２０５Ａに出力する。
入力部２０２Ａは、例えば、カードリーダである。入力部２０２Ａは、カードからカードＩＤを受ける。本実施形態では、入力部２０２Ａは、ＥＶのユーザが所有する課金用の非接触ＩＣカード（例えば、電子マネー用の非接触ＩＣカード）から、カードＩＤを受信する。なお、入力部２０２Ａは、課金用のカードに接触してカードＩＤを読み取ることでカードＩＤを受け付けてもよい。
【００３４】
表示部２０３Ａは、種々の画面を表示する。
通信部２０４Ａは、情報収集機器１００Ａと通信する。例えば、通信部２０４Ａは、カードＩＤを情報収集機器１００Ａに送信する。また、通信部２０４Ａは、充電途中終了を示すエラー信号に応じた充電途中終了通知と、充電途中終了時の充電状況を示す充電結果とを、情報収集機器１００Ａに送信する。
制御部２０５Ａは、充電装置２００Ａを制御する。例えば、制御部２０５Ａは、充電部２０１Ａの動作を監視する。
【００３５】
通信制御部２０６Ａは、カードＩＤを受けた場合に、カードＩＤを、情報収集機器１００Ａに送信する。通信制御部２０６Ａは、充電が途中で終了した場合に、その旨を情報収集機器１００Ａに送信する。
情報収集機器１００Ａは、通信部１０１Ａと、充電結果保存部１０２Ａと、判断条件保存部１０３Ａと、格納部１０４Ａと、制御部１０５Ａと、を含む。
【００３６】
通信部１０１Ａは、充電装置２００Ａと通信する。
充電結果保存部１０２Ａは、通信部１０１Ａが充電装置２００Ａから受信した充電結果および充電途中終了通知を保存する。
判断条件保存部１０３Ａは、課金先情報を格納部１０４Ａに格納するための条件（以下「判断条件」と称する）を保存する。
【００３７】
格納部１０４Ａは、充電結果保存部１０２Ａに保存された充電結果が、判断条件保存部１０３Ａに保存されている判断条件を満たす場合に、課金先情報を含む無料充電対象情報を格納する。無料充電対象情報は、第２情報の一例である。
課金先情報としては、カードＩＤが用いられる。
無料充電対象情報は、カードＩＤの他に、充電結果に関する情報と、リトライ回数と、有効期限日を特定する情報と、を含む。リトライ回数の初期値は０である。
制御部１０５Ａは、情報収集機器１００Ａを制御する。
【００３８】
次に、本実施形態の動作について説明する。
図６は、本実施形態の動作を説明するためのシーケンス図である。以下では、説明の簡略化を図るため、充電装置２００Ａの数を「１」としている。
【００３９】
ＥＶ３００Ａのユーザは、ＥＶ３００Ａを充電するためにＥＶ３００Ａを充電部２０１Ａに接続する。
ＥＶ３００Ａが充電部２０１Ａに接続されると、制御部２０５Ａは、充電部２０１ＡとＥＶ３００Ａとの接続に関して公知の絶縁試験を行う。絶縁試験が終了すると、ＥＶ３００Ａは、充電部２０１Ａに対し、充電の開始を指示する。充電部２０１Ａは、この指示を受けると、ＥＶ３００Ａへの充電（電力供給）を開始する（ステップＳ６１）。
【００４０】
また、ＥＶ３００Ａのユーザは、課金用の非接触ＩＣカードを入力部２０２Ａに近づける。入力部２０２Ａは、非接触ＩＣカードの接近に応じて、非接触ＩＣカードから、カードＩＤを受信する（ステップＳ６２）。続いて、入力部２０２Ａは、カードＩＤを制御部２０５Ａに出力する。
制御部２０５Ａは、カードＩＤを受けると、カードＩＤのコピーを生成してそのコピーを保持する。続いて、制御部２０５Ａは、カードＩＤ（コピー元のカードＩＤ）を通信部２０４Ａから情報収集機器１００Ａに送信する（ステップＳ６３）。
【００４１】
情報収集機器１００Ａでは、通信部１０１Ａは、充電装置２００ＡからカードＩＤを受信すると（ステップＳ６４）、そのカードＩＤを制御部１０５Ａに出力する。
【００４２】
制御部１０５Ａは、カードＩＤを受けると、格納部１０４Ａを参照して、カードＩＤにて特定される課金先が補償対象課金先として設定されているかを判断する（ステップＳ６５）。
ステップＳ６５での判断例としては、制御部１０５Ａは、カードＩＤにて特定される課金先と同じ課金先を示す課金先情報が格納部１０４Ａに格納されている場合、カードＩＤにて特定される課金先が補償対象課金先として設定されていると判断する。一方、カードＩＤにて特定される課金先と同じ課金先を示す課金先情報が格納部１０４Ａに格納されていない場合、制御部１０５Ａは、カードＩＤにて特定される課金先が補償対象課金先として設定されていないと判断する。
【００４３】
カードＩＤにて特定される課金先が補償対象課金先として設定されていない場合、制御部１０５Ａは、カードＩＤにて特定される課金先に対して、ＥＶ充電に関する課金を実行する（ステップＳ６６）。
【００４４】
ステップＳ６５において、カードＩＤにて特定される課金先が補償対象課金先として設定されている場合（ステップＳ６５のＹｅｓ）については後述する。
【００４５】
その後、充電中に、充電装置２００ＡもしくはＥＶ３００Ａに異常が発生した場合、充電部２０１Ａは、ＥＶ３００Ａへの充電を途中で終了する。充電部２０１Ａは、ＥＶ３００Ａへの充電を途中で終了した場合、充電途中終了を示すエラー信号を、制御部２０５Ａに出力する。
制御部２０５Ａは、充電途中終了を示すエラー信号を受けると、充電途中終了時の充電状況を示す充電結果と、充電途中終了通知を、通信部２０４Ａから情報収集機器１００Ａに送信する（ステップＳ６７）。
充電結果は、制御部２０５Ａが保持していたカードＩＤのコピー（以下、単に「カードＩＤ」と称する）と、充電装置２００ＡのＩＤと、充電時間と、充電量と、異常の種類と、を示す。
【００４６】
充電装置２００ＡのＩＤは、充電装置２００Ａ自体の識別情報、充電装置２００Ａの管理者（例えば管理会社や運営会社）の識別情報、または、充電装置２００Ａが位置するエリアの識別情報でもよい。
異常の種類としては、温度異常や、電圧異常や、充電中に充電装置２００Ａの非常停止ボタンが操作された異常や、充電中にＥＶ３００Ａのシフトレバーが「パーキングポジション」から「ドライブポジション」に操作された異常がある。
【００４７】
情報収集機器１００Ａでは、通信部１０１Ａは、充電装置２００Ａから充電結果と充電途中終了通知を受信すると（ステップＳ６８）、充電結果と充電途中終了通知を、制御部１０５Ａに出力する。
制御部１０５Ａは、充電結果と充電途中終了通知を受けると、充電結果と充電途中終了通知を充電結果保存部１０２Ａに保存する。
【００４８】
続いて、制御部１０５Ａは、充電結果保存部１０２Ａに保存された充電結果（カードＩＤ、充電装置２００ＡのＩＤ、充電量、充電時間、異常の種類）が、判断条件保存部１０３Ａに保存されている判断条件を満たすかを判断する（ステップＳ６９）。
判断条件は、「補償対象の充電装置のＩＤ」と「許可充電量」と「許可充電時間」と「補償対象の異常状態」のパラメータを有する。
そして、判断条件としては、「充電装置のＩＤが補償対象の充電装置のＩＤと同一であり、充電量が許可充電量以下であり、充電時間が許可充電時間以下であり、異常の種類が補償対象の異常状態（温度異常または電圧異常）に該当する」という条件が用いられる。
【００４９】
利用者が故意に充電を停止させた場合は、上記の条件には該当しない。例えば充電中に禁止されているシフトレバーを「パーキングポジション」から「ドライブポジション」に変更する操作を故意に行い充電を中止させた場合や、無理にＥＶから充電装置のコネクタを外そうとした場合などは上記条件に該当しない。
なお、判断条件は上記に限らず適宜変更可能であり、また、判断条件に応じて、充電結果に含まれる情報も変更される。例えば、補償対象の異常状態として、充電装置側の異常のみが用いられてもよい。
上記の補償対象の充電装置とは、具体的には、充電装置から電気自動車への充電が、温度や電圧の異常により、正常に完了できない場合に、無料で使用が可能となるなどの充電料金の補償が可能な充電装置のことを示している。
【００５０】
ステップＳ６９で判断条件を満たさない場合、制御部１０５Ａは、無料充電対象情報を格納部１０４Ａに格納する処理を行わない。
一方、ステップＳ６９で判断条件を満たす場合、制御部１０５Ａは、格納部１０４Ａを参照して、充電結果に含まれるカードＩＤにて特定される課金先が補償対象課金先として設定されているかを判断する（ステップＳ７０）。ステップＳ７０の判断手法は、ステップＳ６５の判断手法と同様である。
【００５１】
ステップＳ７０で、カードＩＤにて特定される課金先が補償対象課金先として設定されていない場合、制御部１０５Ａは、そのカードＩＤを課金先情報として含み、リトライ回数が「０」に設定された無料充電対象情報を、格納部１０４Ａに格納する（ステップＳ７１）。
このため、無料充電対象情報に含まれる課金先情報（カードＩＤ）を参照することにより、補償対象課金先を特定することが可能になる。
【００５２】
無料充電対象情報は、上述したように、カードＩＤとリトライ回数の他に、充電結果に関する情報と、有効期限（例えば、現在日時＋有効期間、または、有効期限日）を特定する有効期限情報と、を含む。
充電結果に関する情報としては、充電装置２００ＡのＩＤと、充電が途中終了するまでの充電時間および充電量が用いられる。
有効期間は、例えば１週間である。なお、有効期間は、１週間に限らず適宜変更可能である。
【００５３】
一方、ステップＳ７０で、カードＩＤにて特定される課金先が補償対象課金先として設定されている場合、制御部１０５Ａは、その補償対象課金先を特定する課金先情報を含む無料充電対象情報を更新する（ステップＳ７２）。
この更新では、制御部１０５Ａは、無料充電対象情報のリトライ回数に「１」を加算し、無料充電対象情報が示す充電時間に対して充電結果に含まれている充電時間を加算し、無料充電対象情報が示す充電量に対して充電結果に含まれている充電量を加算する。
【００５４】
続いて、制御部１０５Ａは、無料充電対象情報が示すリトライ回数が、判断条件保存部１０３Ａに保存されているリトライ回数上限値に達している場合（ステップＳ７３）、その無料充電対象情報を格納部１０４Ａから削除する（ステップＳ７４）。リトライ回数がリトライ回数上限値に達している状況としては、ＥＶ３００Ａのユーザが、故意にＥＶ３００Ａに対する充電を連続して中断しているケースが想定される。この対策として、ステップＳ７３およびＳ７４が機能して、そのようなユーザに対する無料充電を抑制可能になる。
【００５５】
一方、リトライ回数がリトライ回数上限値に達していない場合（ステップＳ７３）、制御部１０５Ａは、無料充電対象情報に含まれる有効期限が切れているかを判断する（ステップＳ７５）。
ステップＳ７５では、制御部１０５Ａは、無料充電対象情報に含まれている有効期限情報にて特定される有効期限が過ぎている場合に、無料充電対象情報の有効期限が切れていると判断する。一方、無料充電対象情報に含まれている有効期限情報にて特定される有効期限が過ぎていない場合、制御部１０５Ａは、無料充電対象情報の有効期限が切れていないと判断する。
【００５６】
無料充電対象情報の有効期限が切れている場合、制御部１０５Ａは、その無料充電対象情報を格納部１０４Ａから削除する（ステップＳ７４）。
一方、無料充電対象情報の有効期限が切れていない場合、制御部１０５Ａは、その無料充電対象情報を格納部１０４Ａに残す。
【００５７】
次に、ステップＳ６５で、カードＩＤにて特定される課金先が補償対象課金先として設定されている場合について説明する。
この状況としては、充電に対する課金がされたにもかかわらずその充電が途中で終了した充電補償対象課金先（例えば、ＥＶ３００Ａのユーザ）が、再度、ＥＶ３００Ａへの充電（新たな充電）を試みた状況が想定される。
【００５８】
制御部１０５Ａは、まず、補償対象課金先を特定する課金先情報を含む無料充電対象情報の有効期限が切れているかを判断する（ステップＳ７６）。この判断手法は、ステップＳ７５の判断手法と同様である。
無料充電対象情報の有効期限が切れていない場合、制御部１０５Ａは、カードＩＤにて特定される課金先（補償対象課金先）への課金（新たな充電への課金）を禁止する（ステップＳ７７）。このため、補償対象課金先に対して、無料充電を提供することが可能になる。
【００５９】
制御部１０５Ａは、課金が禁止された新たな充電（無料充電）を、通常の充電（例えば、既定の充電量の充電や、既定の充電時間の充電）と同様に実行させてもよいし、途中で終了した充電の状況に基づいて制御してもよい。一例としては、制御部１０５Ａは、充電装置２００ＡのＥＶ３００Ａへの無料充電を、無料充電対象情報で特定される充電量や充電時間に基づいて制御してもよい。
例えば、制御部１０５Ａは、ＥＶ３００Ａへの充電を、既定の充電量から無料充電対象情報で特定される充電量（充電中断までに実行された充電量）を差し引いた充電量で終了する充電量指示を、通信部１０１Ａから充電装置２００Ａに送信する。充電装置２００Ａでは、制御部２０５Ａは、通信部２０４Ａを介して充電量指示を受けると、その指示に従って充電部２０１Ａの充電を制御する。
【００６０】
また、制御部１０５Ａは、ＥＶ３００Ａへの充電を、既定の充電時間から無料充電対象情報で特定される充電時間（充電中断までに実行された充電時間）を差し引いた充電時間で終了する充電時間指示を、通信部１０１Ａから充電装置２００Ａに送信する。充電装置２００Ａでは、制御部２０５Ａは、通信部２０４Ａを介して充電時間指示を受けると、その指示に従って充電部２０１Ａが行う充電を制御する。
なお、課金の禁止された新たな充電（無料充電）が通常の充電と同様に実行される場合には、無料充電対象情報にて充電量や充電時間が特定されなくてもよい。
【００６１】
一方、無料充電対象情報の有効期限が切れている場合、制御部１０５Ａは、その無料充電対象情報を格納部１０４Ａから削除して（ステップＳ７８）、処理をステップＳ６６に進める。この場合、無料充電は提供されない。
【００６２】
次に、本実施形態の効果について説明する。
本実施形態によれば、制御部１０５Ａは、新たな充電に関する課金の課金先を特定するカードＩＤを受けると、そのカードＩＤにて特定される課金先が課金先情報にて特定される補償対象課金先と同一である場合に、その新たな充電に関する課金を禁止する。このため、補償対象課金先に対して、無料充電を提供することが可能になる。
【００６３】
次に、本実施形態の変形例を説明する。
制御部２０５Ａは、充電部２０１Ａの行う充電が完了した際に、保持していたカードＩＤのコピーと共に充電完了通知を、通信部２０４Ａから情報収集機器１００Ａに送信してもよい。
そして、情報収集機器１００Ａの制御部１０５Ａは、通信部１０１Ａを介してカードＩＤのコピーと共に充電完了通知を受け付けると、そのカードＩＤと同一のカードＩＤを含む無料充電対象情報を、格納部１０４Ａから削除する。
この場合、補償対象課金先に対して１回の無料充電を提供することが可能になる。
【００６４】
ステップＳ６３で、充電装置２００Ａから、カードＩＤと共に充電装置２００ＡのＩＤが送信されてもよい。この場合、制御部１０５Ａは、ステップＳ６５において以下のように動作してもよい。
充電装置２００Ａから受信したカードＩＤおよび充電装置２００ＡのＩＤと同じカードＩＤと充電装置のＩＤを示す無料充電対象情報が格納部１０４Ａに無い場合、制御部１０５Ａは、処理をステップＳ６６に進める。
ここで、無料充電対象情報に示される充電装置のＩＤは、無料充電を行える充電装置（所定の充電装置）のＩＤを意味する。
【００６５】
一方、充電装置２００Ａから受信したカードＩＤおよび充電装置２００ＡのＩＤと同じカードＩＤ（課金先情報）と充電装置のＩＤ（充電結果に含まれる）を示す無料充電対象情報がある場合、制御部１０５Ａは、処理をステップＳ７６に進める。
なお、ステップＳ６３で、充電装置２００Ａから充電装置２００ＡのＩＤが送信されない場合、無料充電対象情報は、充電装置のＩＤを含まなくてもよい。
【００６６】
制御部１０５Ａは、ステップＳ７０において以下のように動作してもよい。
充電装置２００Ａから受信したカードＩＤおよび充電装置２００ＡのＩＤと同じカードＩＤ（課金先情報）と充電装置のＩＤ（充電結果に含まれる）を示す無料充電対象情報が格納部１０４Ａに無い場合、制御部１０５Ａは、処理をステップＳ７１に進める。
一方、充電装置２００Ａから受信したカードＩＤおよび充電装置２００ＡのＩＤと同じカードＩＤ（課金先情報）と充電装置のＩＤ（充電結果に含まれる）を示す無料充電対象情報がある場合、制御部１０５Ａは、処理をステップＳ７２に進める。
【００６７】
上記変形例において、充電装置２００Ａは受信したカードＩＤおよび充電装置２００ＡのＩＤを制御部１０５Ａに送信している。そのため、例えば特定のエリアに存在する複数の充電装置や予め指定された複数の充電装置など、同一の管理者にて管理されている複数の充電装置などにおいて、特定の充電装置で充電中に異常などにより充電が中断されたとしても、同種類の充電装置のＩＤを有する他の充電装置において無料の充電を行うことができる。
【００６８】
（第４実施形態）
第３実施形態では、カードＩＤを用いて補償対象課金先が特定された。これに対して、本発明の第４実施形態では、カードＩＤとは異なる情報（例えば、補償対象課金先に関連づけられたパスワード）を用いて補償対象課金先が特定される。このため、カードＩＤが無い状況でも、補償対象課金先を特定することが可能になる。
【００６９】
図７は、本発明の第４実施形態の情報収集機器１００Ｂおよび複数の充電装置２００Ｂを含む充電システムを示した図である。図７において、図５に示したものと同一構成のものには同一符号を付してある。
【００７０】
充電装置２００Ｂと図５に示した充電装置２００Ａとの主な相違点は、充電装置２００Ｂが、入力部２０２Ａの代わりに入力部２０２Ｂを含み、制御部２０５Ａの代わりに制御部２０５Ｂを含む点である。以下、充電装置２００Ｂについて、充電装置２００Ａとの相違点を中心に説明する。
入力部２０２Ｂは、例えば、入力キーまたはタッチパネルである。入力部２０２Ｂは、ユーザＩＤや、補償対象課金先に関連づけられたパスワードを受け付ける。ユーザＩＤは、第１情報の一例である。パスワードは、第２情報の一例である。パスワードは、補償対象課金先に対して発行される。
制御部２０５Ｂは、充電装置２００Ｂを制御する。例えば、制御部２０５Ｂは、入力部２０６ＢがユーザＩＤやパスワードを受け付けた場合、それらを通信部２０４Ａから情報収集機器１００Ｂに送信する。
【００７１】
情報収集機器１００Ｂと図５に示した情報収集機器１００Ａとの主な相違点は、情報収集機器１００Ｂが、制御部１０５Ａの代わりに制御部１０５Ｂを含む点である。以下、情報収集機器１００Ｂについて、情報収集装置１００Ａとの相違点を中心に説明する。
制御部１０５Ｂは、ユーザＩＤを、第３実施形態におけるカードＩＤ（ただし、無料充電対象情報に含まれるカードＩＤを除く）の代わりに用いる。
制御部１０５Ｂは、補償対象課金先に対してパスワードを発行する。
【００７２】
制御部１０５Ｂは、パスワードを、補償対象課金先（パスワードにて特定される課金先）に通知する。この通知の手法は、例えば、充電装置２００Ｂの表示部２０３Ａにパスワードを表示させる手法である。予めユーザＩＤに対して通知先（例えば、Ｅメールアドレス）が設定されている場合には、制御部１０５Ｂは、その通知先に対してパスワードの通知（Ｅメールや携帯電話用アプリケーションを用いた通知）を行ってもよい。
制御部１０５Ｂは、パスワードを、第３実施形態における無料充電対象情報に含まれるカードＩＤの代わりに用いる。
【００７３】
次に、本実施形態の動作を説明する。
図８は、充電装置２００ＢがユーザＩＤを受けた場合の動作を説明するためのシーケンス図である。図９は、充電装置２００Ｂがパスワードを受けた場合の動作を説明するためのシーケンス図である。図８および図９において、図６に示した処理と同一処理には同一符号を付してある。以下、図６に示した処理と異なる点を中心に本実施形態の動作を説明する。
【００７４】
まず、図８を参照して、ＥＶ３００ＡのユーザがユーザＩＤを入力する場合の動作を説明する。
ＥＶ３００Ａのユーザは、ＥＶ３００Ａを充電するためにＥＶ３００Ａを充電部２０１Ａに接続する。
ＥＶ３００Ａが充電部２０１Ａに接続されると、制御部２０５Ｂは、充電部２０１ＡとＥＶ３００Ａとの接続に関して公知の絶縁試験を行う。絶縁試験が終了すると、ＥＶ３００Ａは、充電部２０１Ａに対し、充電の開始を指示する。充電部２０１Ａは、この指示を受けると、ＥＶ３００Ａへの充電（電力供給）を開始する（ステップＳ６１）。
【００７５】
また、ＥＶ３００Ａのユーザは、ユーザＩＤを入力部２０２Ｂに入力する。入力部２０２Ｂは、ユーザＩＤを受けると（ステップＳ８１）、ユーザＩＤを制御部２０５Ｂに出力する。
制御部２０５Ｂは、ユーザＩＤを受けると、ユーザＩＤのコピーを生成してそのコピーを保持する。続いて、制御部２０５Ｂは、ユーザＩＤ（コピー元のユーザＩＤ）を通信部２０４Ａから情報収集機器１００Ｂに送信する（ステップＳ８２）。
【００７６】
情報収集機器１００Ｂでは、通信部１０１Ａは、充電装置２００ＢからユーザＩＤを受信すると（ステップＳ８３）、そのユーザＩＤを制御部１０５Ｂに出力する。
制御部１０５Ｂは、ユーザＩＤを受けると、ユーザＩＤにて特定される課金先に対して、ＥＶ充電に関する課金を実行する（ステップＳ６６）。
【００７７】
その後、充電中に、充電装置２００ＢもしくはＥＶ３００Ａに異常が発生した場合、充電部２０１Ａは、ＥＶ３００Ａへの充電を途中で終了する。充電部２０１Ａは、ＥＶ３００Ａへの充電を途中で終了した場合、充電途中終了を示すエラー信号を、制御部２０５Ｂに出力する。
制御部２０５Ｂは、充電途中終了を示すエラー信号を受けると、充電途中終了時の充電状況を示す充電結果と、充電途中終了通知を、通信部２０４Ａから情報収集機器１００Ｂに送信する（ステップＳ６７）。
充電結果は、制御部２０５Ｂが保持していたユーザＩＤのコピー（以下、単に「ユーザＩＤ」と称する）と、充電装置２００ＢのＩＤと、充電時間と、充電量と、異常の種類と、を示す。
【００７８】
情報収集機器１００Ｂでは、通信部１０１Ａは、充電装置２００Ｂから充電結果と充電途中終了通知を受信すると（ステップＳ６８）、充電結果と充電途中終了通知を、制御部１０５Ｂに出力する。
制御部１０５Ｂは、充電結果と充電途中終了通知を受けると、充電結果と充電途中終了通知を充電結果保存部１０２Ａに保存する。
【００７９】
続いて、制御部１０５Ｂは、充電結果保存部１０２Ａに保存された充電結果（ユーザＩＤ、充電装置２００ＢのＩＤ、充電量、充電時間、異常の種類）が、判断条件保存部１０３Ａに保存されている判断条件を満たすかを判断する（ステップＳ６９）。
【００８０】
ステップＳ６９で判断条件を満たさない場合、制御部１０５Ｂは、無料充電対象情報を格納部１０４Ａに格納しない。
一方、ステップＳ６９で判断条件を満たす場合、制御部１０５Ｂは、格納部１０４Ａを参照して、充電結果に含まれるユーザＩＤにて特定される課金先が補償対象課金先として設定されているかを判断する（ステップＳ７０）。
【００８１】
ステップＳ７０で、ユーザＩＤにて特定される課金先が補償対象課金先として設定されていない場合、制御部１０５Ｂは、ユーザＩＤにて特定される課金先（補償対象課金先）に対してパスワードを発行する（ステップＳ８４）。
続いて、制御部１０５Ｂは、パスワードを、ユーザＩＤにて特定される課金先である補償対象課金先（パスワードにて特定される課金先）に通知する（ステップＳ８５）。
【００８２】
続いて、制御部１０５Ｂは、パスワードとユーザＩＤの各々を課金先情報として含み、リトライ回数が「０」に設定された無料充電対象情報を、格納部１０４Ａに格納する（ステップＳ７１）。
このため、無料充電対象情報の課金先情報（ユーザＩＤまたはパスワード）を参照することにより、補償対象課金先（課金先情報にて特定される課金先）を特定することが可能になる。
【００８３】
一方、ステップＳ７０で、ユーザＩＤにて特定される課金先が補償対象課金先として設定されている場合、制御部１０５Ｂは、その補償対象課金先を特定する課金先情報を含む無料充電対象情報を更新する（ステップＳ７２）。以下、第３実施形態と同様の処理が実行させる。
【００８４】
次に、図９を参照して、ＥＶ３００Ａのユーザが、通知されたパスワードを入力する場合の動作を説明する。
ＥＶ３００Ａのユーザは、ＥＶ３００Ａを再度充電するためにＥＶ３００Ａを充電部２０１Ａに接続する。ＥＶ３００Ａが充電部２０１Ａに接続されると、ステップＳ６１が実行される。
【００８５】
また、ＥＶ３００Ａのユーザは、通知されたパスワードを入力部２０２Ｂに入力する。入力部２０２Ｂは、パスワードを受けると（ステップＳ９１）、パスワードを制御部２０５Ｂに出力する。
制御部２０５Ｂは、パスワードを受けると、パスワードを通信部２０４Ａから情報収集機器１００Ｂに送信する（ステップＳ９２）。
【００８６】
情報収集機器１００Ｂでは、通信部１０１Ａは、充電装置２００Ｂからパスワードを受信すると（ステップＳ９３）、そのパスワードを制御部１０５Ｂに出力する。
【００８７】
制御部１０５Ｂは、パスワードを受けると、格納部１０４Ａを参照して、パスワードにて特定される課金先が課金先情報（補償対象課金先）として設定されているかを判断する（ステップＳ９４）。
【００８８】
パスワードにて特定される課金先が課金先情報（補償対象課金先）として設定されていないと、制御部１０５Ｂは、充電中止指示を、通信部１０１Ａから充電装置２００Ｂに送信する（ステップＳ９５）。充電装置２００Ｂの制御部２０５Ｂは、通信部２０４Ａを介して充電中止指示を受信すると、充電部２０１Ａが実行している充電を中止する。このため、通知されたパスワード以外のパスワードを用いた無料充電を停止することが可能になる。
【００８９】
一方、パスワードにて特定される課金先が課金先情報（補償対象課金先）として設定されていると、制御部１０５Ｂは、ステップＳ７６に進む。
【００９０】
次に、本実施形態の効果について説明する。
本実施形態によれば、制御部１０５Ｂは、課金を実行した後に充電が途中で終了した場合に、ユーザＩＤと異なるパスワードを、そのパスワードにて特定される課金先（補償対象課金先）に通知する。このため、無料充電の際に必要となるパスワードを補償対象課金先に知らせることが可能になる。
【００９１】
次に、本実施形態の変形例を説明する。
制御部２０５Ｂは、入力されたパスワードのコピーを保持し、その後に充電が完了した際に、その保持していたパスワードのコピーと共に充電完了通知を、通信部２０４Ａから情報収集機器１００Ｂに送信してもよい。
そして、情報収集機器１００Ｂの制御部１０５Ｂは、通信部１０１Ａを介してパスワードのコピーと共に充電完了通知を受け付けると、そのパスワードと同一のパスワードを含む無料充電対象情報を、格納部１０４Ａから削除する。
この場合、補償対象課金先に対して１回の無料充電を提供することが可能になる。
【００９２】
第３実施形態の変形例で示した変形と同様の変形が、第４実施形態において行われてもよい。
例えば、充電装置２００Ｂから、パスワードと共に充電装置２００ＢのＩＤが送信されてもよい。この場合、制御部１０５Ｂは、ステップＳ９４において以下のように動作してもよい。
充電装置２００Ｂから受信したパスワードおよび充電装置２００ＢのＩＤと同じパスワードと充電装置のＩＤを示す無料充電対象情報が格納部１０４Ａに無い場合、制御部１０５Ｂは、処理をステップＳ９５に進める。
【００９３】
一方、充電装置２００Ｂから受信したパスワードおよび充電装置２００ＢのＩＤと同じカードＩＤ（課金先情報）と充電装置のＩＤを示す無料充電対象情報がある場合、制御部１０５Ｂは、処理をステップＳ７６に進める。
なお、ステップＳ９２で、充電装置２００Ｂから充電装置２００ＢのＩＤが送信されない場合、無料充電対象情報は、充電装置のＩＤを含まなくてもよい。
上記第３実施形態の変形例と同様に、例えば特定のエリアに存在する複数の充電装置や、予め指定された複数の充電装置など、同一の管理者にて管理されている複数の充電装置などにおいて、特定の充電装置で充電中に異常などにより充電が中断されたとしても、パスワードと充電装置とユーザＩＤとを共有する他の充電装置において無料の充電を行うことができる。
【００９４】
（第５実施形態）
本発明の第５実施形態は、充電装置がＥＶへの充電を途中で終了した場合に、その充電装置での次回の充電を無料にする充電制御装置に関する。
【００９５】
図１０は、本発明の第５実施形態の充電制御装置１００Ｃを示した図である。
充電制御装置１００Ｃは、制御部１０６Ｃと、禁止部１０７Ｃと、を含む。
制御部１０６Ｃは、ＥＶへの充電装置（例えば、図３に示した第２実施形態の充電装置２００）からの充電に関する課金用の情報（例えば、カードＩＤ）を受けた場合に、その充電についての課金を実行する。
禁止部１０７Ｃは、無料部の一例である。禁止部１０７Ｃは、制御部１０６Ｃが課金を実行した後に、課金の対象となっている充電が途中で終了した場合に、制御部１０６Ｃが、充電を途中で終了した充電装置での次回の充電に関する課金を実行することを禁止する。観点を変えて説明すると、制御部１０６Ｃが課金を実行した後に課金の対象となっている充電が途中で終了した場合に、禁止部１０７Ｃが、充電を途中で終了した充電装置での次回の充電を無料とする。
【００９６】
次に、本実施形態の動作について説明する。
図１１は、充電制御装置１００Ｃの動作を説明するためのフローチャートである。図１１において、図２で示した処理と同一処理には同一符号を付してある。
まず、ＥＶのユーザは、ＥＶを充電するためにＥＶを充電装置に接続する。続いて、ＥＶのユーザは、充電に対する課金処理を実行させるために充電装置にカードＩＤを読み込ませる。充電装置は、ＥＶと接続した後、ＥＶへの充電を開始する。また、充電装置は、読み込んだカードＩＤを充電制御装置１００Ｃに送信する。
【００９７】
充電制御装置１００Ｃの制御部１０６Ｃは、充電装置からカードＩＤを受信すると（ステップＳ２１）、カードＩＤに関連づけられているＥＶのユーザに対して、ＥＶ充電に関する課金を実行する（ステップＳ２２）。
その後、充電中に、充電装置もしくはＥＶに異常が発生した場合、充電装置は、ＥＶへの充電を途中で終了する。ＥＶへの充電が途中で終了すると、充電装置は、充電途中終了通知を、充電制御装置１００Ｃに送信する。
充電制御装置１００Ｃの禁止部１０７Ｃは、制御部１０６Ｃでの課金実行後に充電途中終了通知を受信すると（ステップＳ２３）、制御部１０６Ｃが、充電を途中で終了した充電装置での次回の充電に関する課金を実行することを禁止する（ステップＳ１１１）。
【００９８】
次に、本実施形態の効果について説明する。
本実施形態によれば、禁止部１０７Ｃは、制御部１０６Ｃでの課金実行後に充電途中終了通知を受信すると、制御部１０６Ｃが、充電を途中で終了した充電装置での次回の充電に関する課金を実行することを禁止する。
このため、ＥＶへの充電が途中で終了してしまったＥＶのユーザは、ＥＶの充電を同じ充電装置を使って続けて行うことで、ＥＶに対する無料の充電（補償）を受けることが可能になる。
【００９９】
次に、本実施形態の変形例について説明する。
禁止部１０７Ｃは、次回の充電も途中で終了したときは、連続する充電途中終了の回数が所定数に達するまで、その次の充電に対する課金を制御部１０６Ｃが課金することを禁止してもよい。
また、禁止部１０７Ｃは、充電を途中で終了した充電装置での次回の充電が無料になることを出力（例えば、表示）する指示を、充電を途中で終了した充電装置に通知してもよい。
【０１００】
（第６実施形態）
本実施形態では、充電制御装置として機能する情報収集機器は、課金に対する充電を十分に実行していない充電装置を、特定の条件を用いて特定する。
そして、情報収集機器は、課金に対する充電を十分に実行していない充電装置を用いた次回の充電を無料にする。
【０１０１】
図１２は、本発明の第６実施形態の情報収集機器１００Ｄおよび複数の充電装置２００Ａを含む充電システムを示した図である。図１２において、図５に示したものと同一構成のものには同一符号を付してある。
情報収集機器１００Ｄと図５に示した情報収集機器１００Ａとの主な相違点は、情報収集機器１００Ｄが、制御部１０５Ａの代わりに制御部１０６Ｄおよび禁止部１０７Ｄを含み、格納部１０４Ａが省略されている点である。以下、情報収集機器１００Ｄについて、情報収集装置１００Ａとの相違点を中心に説明する。
【０１０２】
制御部１０６Ｄは、ＥＶへの充電装置２００Ａから充電に関する課金用の情報であるカードＩＤを受けた場合に、その充電についての課金を実行する。
禁止部１０７Ｄは、課金実行後に充電途中終了通知と充電結果を受信すると、充電結果が、判断条件保存部１０３Ａに保存されている判断条件を満たす場合に、制御部１０６Ｄが、充電を途中終了した充電装置での次回の充電の課金を実行することを禁止する。
【０１０３】
次に、本実施形態の動作を説明する。
図１３は、本実施形態の動作を説明するためのシーケンス図である。図１３において、図６に示した処理と同一の処理には同一符号を付してある。以下、図６に示した処理と異なる点を中心に本実施形態の動作を説明する。
本実施形態では、ステップＳ６６は制御部１０６Ｄにて実行され、ステップＳ６９は禁止部１０７Ｄにて実行される。
【０１０４】
禁止部１０７Ｄは、ステップＳ６９で判断条件が満たされる場合、制御部１０６Ｄが、充電を途中終了した充電装置での次回の充電の課金を実行することを禁止する（ステップＳ１３１）。
続いて、禁止部１０７Ｄは、充電装置２００Ａでの次回の充電が無料になることを表示する表示指示を、充電装置２００Ａに通知する（ステップＳ１３２）。
充電装置２００Ａの制御部２０５Ａは、通信部２０４Ａを介して表示指示を受けると（ステップＳ１３３）、表示部２０３Ａに、充電装置２００Ａでの次回の充電が無料になる旨の画面を表示する（ステップＳ１３４）。
【０１０５】
次に、本実施形態の効果について説明する。
本実施形態によれば、禁止部１０７Ｄは、充電結果が判断条件保存部１０３Ａに保存されている判断条件を満たす場合に、制御部１０６Ｄが充電を途中終了した充電装置での次回の充電の課金を実行することを禁止する。このため、判断条件を用いて、無料充電を行うか否かを決定できる。
また、禁止部１０７Ｄは、表示指示（充電を途中で終了した充電装置での次回の充電が無料になることを表示する指示）を、充電を途中で終了した充電装置に通知する。このため、課金されたにも関わらず充電が途中で終了したＥＶのユーザに対して、無料充電の実施を知らせることが可能になる。
【０１０６】
次に、本実施形態の変形例を説明する。
表示指示の代わりに、充電を途中で終了した充電装置での次回の充電が無料になることを音声報知する音声指示が用いられてもよいし、表示指示と音声指示の両方が用いられてもよい。
【０１０７】
次に、上記各実施形態に関する変形例を説明する。
各実施形態において、電力を動力とする自動車は、ＥＶに限らず適宜変更可能である。電力を動力とする自動車は、例えば、ＰＨＶでもよい。
充電制御装置１００、１００Ｃ、情報収集機器１００Ａ、１００Ｂ、１００Ｄは、それぞれ、充電装置と別体であってもよいし、充電装置に内蔵されてもよい。
【０１０８】
充電制御装置の制御部や情報収集機器の制御部が、充電装置での充電が途中で終了したかを主体的に監視してもよい。この場合、充電装置は、充電途中終了通知を送信する必要が無くなる。
【０１０９】
各実施形態において、充電制御装置１００、１００Ｃ、充電装置２００、２００Ａ、２００Ｂ、情報収集機器１００Ａ、１００Ｂ、１００Ｄは、それぞれ、コンピュータにて実現されてもよい。コンピュータは、コンピュータにて読取り可能な記録媒体に記録されたプログラムを読込み、そのプログラムを実行して、充電制御装置１００、１００Ｃ、充電装置２００、２００Ａ、２００Ｂ、情報収集機器１００Ａ、１００Ｂ、１００Ｄのいずれかが有する機能を実行する。記録媒体は、例えば、ＣＤ−ＲＯＭ（Compact Disk Read Only Memory）等の有形の記録媒体である。記録媒体は、ＣＤ−ＲＯＭに限らず適宜変更可能である。
【０１１０】
充電制御装置１００、１００Ｃ、充電装置２００、２００Ａ、２００Ｂ、情報収集機器１００Ａ、１００Ｂ、１００Ｄのそれぞれの構成要素は、ハードウェア（例えば、プロセッサやメモリ等の回路）で実現されてよい。
以上説明した各実施形態において、図示した構成は単なる一例であって、本発明はその構成に限定されるものではない。本発明の構成および動作については、本発明の趣旨を逸脱しない範囲において、当業者が理解し得る様々な変更を行うことができる。
【０１１１】
この出願は、２０１５年９月２９日に出願された日本出願特願２０１５−１９１０３４を基礎とする優先権を主張し、その開示の全てをここに取り込む。
【符号の説明】
【０１１２】
１００、１００Ｃ  充電制御装置
１００Ａ、１００Ｂ、１００Ｄ  情報収集機器
１０１  制御部
１０２  格納部
１０１Ａ  通信部
１０２Ａ  充電結果保存部
１０３Ａ  判断結果保存部
１０４Ａ  格納部
１０５Ａ、１０５Ｂ  制御部
１０６Ｃ、１０６Ｄ  制御部
１０７Ｃ、１０７Ｄ  禁止部
２００、２００Ａ  充電装置
２０１  充電部
２０２  通信制御部
２０１Ａ  充電部
２０２Ａ、２０２Ｂ  入力部
２０３Ａ  表示部
２０４Ａ  通信部
２０５Ａ、２０５Ｂ  制御部
２０６Ａ  通信制御部
【図１】
2017056755.tif 000003
【図２】
2017056755.tif 000004
【図３】
2017056755.tif 000005
【図４】
2017056755.tif 000006
【図５】
2017056755.tif 000007
【図６】
2017056755.tif 000008
【図７】
2017056755.tif 000009
【図８】
2017056755.tif 000010
【図９】
2017056755.tif 000011
【図１０】
2017056755.tif 000012
【図１１】
2017056755.tif 000013
【図１２】
2017056755.tif 000014
【図１３】
2017056755.tif 000015
【国際調査報告】
2017056755.tif 000016
2017056755.tif 000017
2017056755.tif 000018
2017056755.tif 000019